(57)【要約】【課題】フォーカルプレンシャッタから発生した磨耗紛を、カメラ外へ好適に排出させることの可能なデジタルスチルカメラを提供すること。【解決手段】固体撮像素子２とフォーカルプレンシャッタ３との間に、透光性を有する薄板部材８が、カメラ外から着脱可能に配置されている。弾性材料からなる遮蔽部材７は、フォーカルプレンシャッタ３側の壁に取り付けられていて、常態では、その自由端が固体撮像素子２側の壁に接触する習性を有しているが、薄板部材８の装着状態のときや装着・離脱操作中のときは、常に薄板部材８に接触している。そして、離脱操作時には、薄板部材８に付着していた磨耗紛が、遮蔽部材７に掻きとられ、遮蔽部材７の上に積もっていくが、最後に、肉厚部８ｃとの段差部に設けられた粘着性のある材料（例えば、両面テープ）９が、それらの磨耗紛を捕捉し、カメラ外へ排出するようになっている。【選択図】  図３
2004214848.tif 000002
【特許請求の範囲】
【請求項１】
固体撮像素子とフォーカルプレンシャッタとの間に配置され少なくとも該固体撮像素子の撮像面を覆う透光性領域を有している薄板部材をカメラ外から装着及び離脱を可能とするための細長い着脱口と、前記着脱口を開閉する蓋部材と、柔軟性のある弾性材料からなっていて前記着脱口と略同じ長さを有しておりその幅方向の一端が前記着脱口の近傍内側において前記フォーカルプレンシャッタ側の壁に取り付けられ他端が自由端となっていて常態では該自由端が前記着脱口の前記固体撮像素子側の壁に接触する習性を有している遮蔽部材と、着脱操作時に前記薄板部材を案内するために前記着脱口の長さと略同じ間隔で配置されている一対のガイド部材と、を備えており、前記薄板部材は、装着操作時における先端辺部の前記フォーカルプレンシャッタ側に捕捉手段を設けており、離脱操作時には、前記遮蔽部材に、前記透光性領域に続いて前記捕捉手段を摺接させるようにしたことを特徴とするデジタルスチルカメラ。
【請求項２】
前記薄板部材の透光性領域が、フィルタとして形成されていることを特徴とする請求項１に記載のデジタルスチルカメラ。
【請求項３】
前記先端辺部が、前記フォーカルプレンシャッタ側に、前記透光性領域の厚さよりも厚く形成されていて、前記捕捉手段が、それらの段差部であることを特徴とする請求項１又は２に記載のデジタルスチルカメラ。
【請求項４】
前記捕捉手段が、前記段差部に塗布又は取り付けられた粘着性のある材料であることを特徴とする請求項３に記載のデジタルスチルカメラ。
【発明の詳細な説明】
【０００１】
【発明の属する技術分野】
本発明は、固体撮像素子とフォーカルプレンシャッタとを備えたデジタルスチルカメラに関する。
【０００２】
【従来の技術】
フォーカルプレンシャッタを備えたカメラ内に、空中に浮遊するゴミが外部から進入した場合、そのカメラが銀塩カメラであれば、フィルム面に付着しても、撮影が終了するとその画枠領域（コマ）は、ゴミを付着したまま巻き上げられてしまうため、少なくともそのゴミが次の撮影に影響を及ぼしてしまうことがないが、デジタルスチルカメラの場合には、固体撮像素子がカメラ内に固定されているため、何らかの進入防止手段を講じておくか、頻繁に撮像面のクリーニングを行わないと、その撮像面に付着したゴミが徐々に蓄積されてゆき、やがて、その影響が画像に現れるようになってしまう。ところが、クリーニングを行うときは、カメラを分解しておいて行うか、交換レンズを外し且つシャッタ羽根をバルブモードでの撮影状態にしておいて行う必要があるため、極めて面倒である。そのため、カメラ内において固体撮像素子の撮像面がさらされている空間を、最初から、気密性のあるものにしてしまおうという考えの下に、その空間に通じる開口部を、透明な板部材によってカバーしてしまうようにしたカメラ構成が知られている（特許文献１参照）。
【０００３】
他方、デジタルスチルカメラに採用されるフォーカルプレンシャッタには、先羽根，後羽根などと称されている二つのシャッタ羽根を備えたものと、シャッタ羽根を一つだけしか備えていないものとがある。しかしながら、いずれの場合であっても、夫々のシャッタ羽根は、シャッタ地板に対して各々の一端側を枢着した複数のアーム（二つの場合が多いが三つの場合もある）と、それらの他端側に枢支した少なくとも１枚の短冊状の羽根によって構成されており、各アームと羽根との枢支構成は、アームと羽根とに形成されている孔に対して、リベット部品である連結軸の先端をアーム側から挿入し、その先端を羽根に固定して、アームと連結軸とは相互に回転可能となるようにしている。そして、その連結軸の頭部は、羽根室を構成している地板に向けて、アームの面から突き出ている。
【０００４】
そして、このような構成をしたシャッタ羽根は、外見上は、所定の平面上を規則的に作動して、何の問題もなく所定の位置で停止しているように見えるが、実際には、作動方向とは異なる方向への複雑な動きを伴いながら作動しており、また、停止時には、ストッパに当接して強烈な衝撃を受け、その都度、アームや羽根が一時的に大きく変形させられている。従って、シャッタ羽根を構成している部材間の摩擦によって、また、上記の連結軸の頭部と、シャッタ地板などの羽根室を構成している部材との間の摩擦によって、極めて微細ではあるが磨耗紛を発生させることが知られている（例えば、特許文献２参照）。しかも、このようなフォーカルプレンシャッタは、カメラ内で、固体撮像素子の直前位置に配置されているため、外部から進入してきた上記のゴミの場合と同様に、その磨耗紛も撮像面に付着し易く、やがてはその影響が画像に現れる要因となってしまう。従って、上記の特許文献１に記載の構成は、カメラ内で発生する磨耗紛に対して、全く機能を発揮しない。
【０００５】
このことから、外部から進入してきたゴミと、フォーカルプレンシャッタから発生した磨耗紛との両方に対応可能とするためには、フォーカルプレンシャッタと固体撮像素子との間で何らかの対策を講じることが必要となる。上記の特許文献２に記載されている構成も、そのような観点に立っての対策の一つである。しかしながら、特許文献２に記載の構成によれば、撮像面を好適な状態に保つことはできるとしても、それらのゴミや磨耗紛をカメラの外へ排出することまではできない。そこで考えられることは、透光性を有する薄板部材を、フォーカルプレンシャッタと固体撮像素子との間に配置しておき、通常であれば、撮像面に付着するはずのゴミや磨耗紛をその薄板部材に付着させてしまい、その薄板部材を磨耗紛などと共にカメラ外へ好適に取り出せるようにすることである。そして、そのような目的とは全く異なるとはいえ、似たような薄板部材を、単にカメラ外から着脱可能としたカメラ構成も知られている（例えば、特許文献３参照）。
【０００６】
【特許文献１】
特開２０００−２４１８６９号公報（第３頁、図１−３）
【特許文献２】
特開２００２−１５６６８５号公報（第３−５頁、図１−５）
【特許文献３】
登録実用新案３０１０４８７号公報（第６−９頁、図１−５）
【０００７】
【発明が解決しようとする課題】
ところで、上記したように、透光性を有する薄板部材を、フォーカルプレンシャッタと固体撮像素子との間に配置し、その薄板部材に、通常であれば、撮像面に付着するはずのゴミや磨耗紛を付着させてしまい、且つその薄板部材を磨耗紛などと共にカメラ外へ取り出せるようにしたいという要求が現にある。しかしながら、そのような要求に応えるためには、その薄板部材の着脱口を、単にカメラに設けただけでは、薄板部材の着脱操作時に、その着脱口からゴミが進入してしまうので、その点についての何らかの対策が必要になる。また、薄板部材をカメラ外へ離脱させるとき、薄板部材に付着していた磨耗紛がカメラ外へ好適に排出されないようでは、薄板部材を着脱可能とした理由が全く失われてしまう。従って、磨耗紛を好適に排出させる対策も講じておく必要がある。
【０００８】
そこで、そのような要求に対して、上記の特許文献３に記載されている構成を採用した場合を考えてみる。特許文献３の図５に示されている構成は、着脱口の近傍内部に二つの遮光用パッドを設けていて、薄板部材は、両面をそれらの遮光用パッドに接触させた状態で着脱され、薄板部材をカメラ外へ離脱させると、遮光用パッド同士が接触するようになっている。そのため、その着脱操作時に、着脱口から外部のゴミが進入してしまうことはない。しかしながら、その構成を採用した場合は、薄板部材をカメラ外へ離脱させるとき、薄板部材に付着していた磨耗紛などが、遮光用パッドによって掻き落され、そのままカメラ内に残留してしまうことになり、カメラ外へ排出させたいという上記の要求機能が全く得られないという問題点がある。
【０００９】
本発明は、このような問題点を解決するためになされたものであり、その目的とするところは、フォーカルプレンシャッタから発生した磨耗紛などが固体撮像素子の撮像面に付着することなく、フォーカルプレンシャッタと固体撮像素子との間に配置した薄板部材に付着するようにし、その薄板部材をカメラ外から着脱するに際しては、外部からゴミが進入せず、また、薄板部材をカメラ外へ離脱するに際しては、磨耗紛がカメラ外へ好適に排出されるようにしたデジタルスチルカメラを提供することである。
【００１０】
【課題を解決するための手段】
上記の目的を達成するために、本発明のデジタルスチルカメラは、固体撮像素子とフォーカルプレンシャッタとの間に配置され少なくとも該固体撮像素子の撮像面を覆う透光性領域を有している薄板部材をカメラ外から装着及び離脱を可能とするための細長い着脱口と、前記着脱口を開閉する蓋部材と、柔軟性のある弾性材料からなっていて前記着脱口と略同じ長さを有しておりその幅方向の一端が前記着脱口の近傍内側において前記フォーカルプレンシャッタ側の壁に取り付けられ他端が自由端となっていて常態では該自由端が前記着脱口の前記固体撮像素子側の壁に接触する習性を有している遮蔽部材と、着脱操作時に前記薄板部材を案内するために前記着脱口の長さと略同じ間隔で配置されている一対のガイド部材と、を備えており、前記薄板部材は、装着操作時における先端辺部の前記フォーカルプレンシャッタ側に捕捉手段を設けており、離脱操作時には、前記遮蔽部材に、前記透光性領域に続いて前記捕捉手段を摺接させるようにする。
【００１１】
その場合、前記薄板部材の透光性領域が、フィルタとして形成されていてもよい。また、前記先端辺部が、前記フォーカルプレンシャッタ側に、前記透光性領域の厚さよりも厚く形成されていて、前記捕捉手段が、それらの段差部であるようにしてもよいし、その段差部に塗布又は取り付けられた粘着性のある材料であるようにしてもよい。
【００１２】
【発明の実施の形態】
本発明の実施の形態を、図示した実施例によって説明する。尚、図１は、カメラ内に磨耗紛排出用薄板部材を装着した状態を、カメラの側面から見て示した実施例の説明図であり、図２は、その状態をカメラの正面から見て示した説明図である。また、図３は、磨耗紛排出用薄板部材を取り出す途中の状態を、図１と同様に見て示した実施例の説明図であり、図４は、その状態をカメラの正面から見て示した説明図である。そして、図１においては、円形で囲まれたＡ部とＢ部の拡大図も示してある。
【００１３】
図１に示されているように、カメラ本体１の内部には、固体撮像素子２が配置されており、その撮影レンズ側の位置にはフォーカルプレンシャッタ３が配置されている。周知のように、フォーカルプレンシャッタ３は、図２に示されているように、シャッタ羽根の開閉駆動機構部３ａを、撮影光路用開口部３ｂの側方位置に取り付けているが、その開閉駆動機構部３ａの構成は複雑であり且つ本発明とは直接関係がない。そのため、詳細には示さず、一つのブロック体として示してある。また、フォーカルプレンシャッタ３は、その羽根室内に配置されている一つ又は二つのシャッタ羽根によって、撮影光路用開口部３ｂを開閉するように構成されているが、図２は、そのシャッタ羽根が撮影光路用開口部３ｂを全開にした状態を示している。
【００１４】
また、一眼レフカメラの場合には、カメラ本体１の上部にペンタプリズムを含むファインダ光学系が取り付けられ、カメラ本体１の内部にはクイックリターンミラーが配置されているのが普通であるが、それらの構成は、本発明とは直接関係がないので、そのファインダ光学系の外形だけを、図１及び図３において、二点鎖線で示してある。尚、周知のように、フォーカルプレンシャッタ３を採用するカメラには、ペンタプリズムを有するファインダ光学系やクイックリターンミラーを備えておらず、レンジファインダを備えたカメラもあるが、本発明のカメラは、そのようなカメラであっても差し支えなく、フォーカルプレンシャッタ３を備えたカメラであれば、どのような形式のものであってもよい。
【００１５】
本実施例においては、カメラ本体１の底部に長方形の蓋部材４が蝶番で取り付けられている。この蓋部材４は、図４から分かるように、内側の略中央部に支承部４ａを有しており、具体的な構成は示されていないが、実際にはカメラ本体１との間において、その閉鎖状態を好適に維持されるようになっている。また、カメラ本体１の底部には、蓋部材４の内側に、スリット状をした長方形の着脱口１ａが設けられている。この着脱口１ａの長さは、蓋部材４の長さよりも若干短く、その長さ方向の略中央部は、蓋部材４が閉鎖状態のとき、その支承部４ａを受け入れるために、幅が大きく形成されている。
【００１６】
カメラ本体１の内部には、図１及び図３においては固体撮像素子２とフォーカルプレンシャッタ３との間に相当する位置であり、且つ図２及び図４においては撮影光路用開口部３ｂの両側に相当する位置に、下方部の一部を除いて断面がコ字状をしている二つのガイドレール５，６が設けられている。しかも、この二つのガイドレール５，６は、上記の着脱口１ａの長さ方向の両端位置に対応して設置されている。また、着脱口１ａの内側近傍には、遮蔽部材７が取り付けられている。この遮蔽部材は、柔軟性のある弾性材料（例えば、ゴム，シリコンゴム，シリコンゴムを含浸させた繊維，密な植毛材料，スポンジ状の多孔質材料など）からなっていて、着脱口１ａと略同じ長さを有しており、その幅方向の一端を、フォーカルプレンシャッタ側の壁に取り付けられている。また、幅方向の他端は自由端となっていて、常態では、固体撮像素子側の壁に接触する習性を有している。
【００１７】
また、図１及び図２においては、カメラ本体１内に、略方形をした薄板部材８が装着されている。この薄板部材８は、着脱口１ａから挿入され、幅方向の両端をガイドレール５，６に案内されて上方へ移動させられ、完全に挿入された後には、蓋部材４を閉鎖することによって、その下端の被承部８ａ（図４参照）が蓋部材４の支承部４ａによって支承されるようになっている。また、この薄板部材８を取り出すときは、蓋部材４を開け、適宜な道具を下端近傍に設けられた孔８ｂに掛け、カメラ外へ引き出すようになっている。図４は、そのようにして行われる薄板部材８の離脱操作の途中の状態を示したものである。
【００１８】
そこで、次に、これまで説明していない薄板部材８のより具体的な構成と機能を説明し、且つカメラへのより具体的な装脱操作を説明する。先ず、薄板部材８の構成，機能を説明する。本実施例の薄板部材８は、全体が透明な材料で製作されている。しかしながら、最小限、図２におけるフォーカルプレンシャッタの撮影光路用開口部３ｂに面する領域だけが透明に製作されていてもよい。また、固体撮像素子２の前面には、ローパスフィルタなどのフィルタを配置することがあるが、少なくとも上記の領域をそれらのフィルタの一つとして形成してあってもよい。
【００１９】
また、この薄板部材８は、装着操作時における先端辺部が、上記の領域よりもフォーカルプレンシャッタ側に厚い肉厚部８ｃとして形成されており、その段差部には粘着性のある材料９（例えば、両面テープ，塗布された粘着剤など）が設けられている。更に、この薄板部材８は、装着操作時における後端辺部のやや上部に、上記の肉厚部８ｃと同様にして形成された肉厚部８ｄを有している。そして、このような構成の薄板部材８は、少なくとも固体撮像素子２の撮像面をカバーしていて、フォーカルプレンシャッタ３から発生した磨耗紛が、その撮像面に付着しないようにしている。
【００２０】
ところが、そのようにすると、フォーカルプレンシャッタ３から発生した磨耗紛が薄板部材８に付着することになるから、その薄板部材８を適当な時期にカメラ外へ取り出し、クリーニング後に再度装着しなおすか、新しい薄板部材８と交換する必要がある。そこで、次に、その着脱操作過程を説明するが、先ずは装着操作から説明する。ガイドレール５，６の断面形状は、大部分がコ字状になっているが、下方の一部だけがＬ字状になっている。また、上記したように、遮蔽部材７は、常態ではその自由端が固体撮像素子２側の壁に接触する習性を有している。そのため、薄板部材８がカメラ内に装着されていないときには、蓋部材４を開放状態にしても、外部のゴミはカメラ内に進入することができない。
【００２１】
そこで、蓋部材４をそのような開放状態にしておいて、薄板部材８を、その先端辺部から着脱口１ａに挿入していく。そのとき、遮蔽部材７は、薄板部材８の肉厚部８ｃに押され、その自由端を上方へ移動させながら撓んでいくが、肉厚部８ｃは上記先端辺部の全長にわたって形成されているので、遮蔽部材７と薄板部材８との間には隙間がなく、ゴミの進入する余地はない。その後、肉厚部８ｃが上昇して遮蔽部材７から離れると、遮蔽部材７は自己の習性によって薄板部材８のフォーカルプレンシャッタ側の面（以下、単に基準面という）に接触することになる。従って、そのような過程においても、遮蔽部材７と薄板部材８との間には隙間が生じない。
【００２２】
その後、なおも薄板部材８が上昇すると、遮蔽部材７は、薄板部材８の肉厚部８ｄに押されることになり、その自由端を再度上方へ移動させながら撓んでいく。このときにも、肉厚部８ｄは薄板部材８の幅方向の全長にわたって形成されているので、遮蔽部材７と薄板部材８との間には隙間が生じない。そして、その後の肉厚部８ｄの上昇に伴い、遮蔽部材７の自由端は、自己の習性によって肉厚部８ｄの傾斜面に追従し、やがて肉厚部８ｄから離れて、薄板部材８の後端辺部に接触するようになる。その後、薄板部材８は若干上昇したところでストッパに当接して停止させられ、蓋部材４を閉鎖した状態が、図１及び図２に示された薄板部材８の装着状態である。
【００２３】
次に、上記のような装着状態から、薄板部材８をカメラ外へ取り出すための離脱操作過程を説明する。このときには、既に薄板部材８に磨耗紛が付着している。そこで、蓋部材４を開き、上記のようにして、薄板部材８を下方へ引き出していくと、遮蔽部材７の自由端が肉厚部８ｄに押され、図１のようにして側面から見た場合、遮蔽部材７はＵ字状に変形させられていった後、やがてその自由端を下方へ向けるようになって肉厚部８ｄに接触する。その後、肉厚部８ｄが下降して遮蔽部材７から離れると、遮蔽部材７は自己の習性によって薄板部材８の基準面に接触することになる。そして、なおも薄板部材８が若干下降した状態が、図３及び図４に示された状態である。
【００２４】
このように、薄板部材８は遮蔽部材７との接触状態を保ちつつ下降していくが、その過程において、薄板部材８の表面に付着していた磨耗紛は、その殆どが遮蔽部材７によって掻き落されてゆき、遮蔽部材７の上面に滞留していく。その後、なおも薄板部材８が下降すると、遮蔽部材７は、薄板部材８の肉厚部８ｃに押されて変形させられていくが、このとき、滞留していた磨耗紛が粘着性のある材料９に捕らえられる。そして、遮蔽部材７は、その後、肉厚部８ｃの斜面に追従して自己の習性で変形してゆき、肉厚部８ｃとの接触が解かれると、その自由端を固体撮像素子２側の壁に接触させる。その後は、既に説明したようにして、クリーニング（主に、材料９のリニューアル）後の薄板部材８を再度装着しなおすか、新しい薄板部材８を装着することになる。尚、粘着性のある材料９を、両面粘着テープを複数枚重ねたものとし、クリーニング時に、外側のテープから順に剥がして、所定の粘着力が得られるようにしてもよい。
【００２５】
尚、上記のように本実施例においては、遮蔽部材７の上面に滞留した磨耗紛を捕捉し、外部へ取り出すための手段を、薄板部材８の段差部に設けた粘着性のある材料９としているが、段差部だけであっても、捕捉手段としての機能を果たすことが可能である。また、薄板部材８の装着操作時における先端辺部に肉厚部８ｃを形成せず、洗濯板のように凹凸を形成しただけでも、捕捉手段としての機能を果たすことができる。
【００２６】
【発明の効果】
以上のように、本発明は、フォーカルプレンシャッタと固体撮像素子との間に、透光性領域を有する薄板部材をカメラの外部から着脱可能に配置するので、フォーカルプレンシャッタから発生した磨耗紛などを固体撮像素子の撮像面に付着させてしまうことがない。また、本発明によれば、薄板部材の着脱口の近傍に柔軟性のある弾性材料で製作された遮蔽部材を設けたので、薄板部材の装着・離脱操作時に、外部からゴミが進入するのを防止することができる。更に、薄板部材に捕捉手段を設けたので、磨耗紛の付着した薄板部材の離脱操作時に、薄板部材から離されて遮蔽部材に積もった磨耗紛を、薄板部材の離脱完了直前に、好適に外部へ排出させることが可能である。
【図面の簡単な説明】
【図１】カメラ内に磨耗紛排出用薄板部材を装着した状態を、カメラの側面から見て示した実施例の説明図である。
【図２】図１に示した状態をカメラの正面から見て示した説明図である。
【図３】磨耗紛排出用薄板部材をカメラ外へ取り出している途中の状態を、図１と同様に見て示した実施例の説明図である。
【図４】図３に示した状態をカメラの正面から見て示した説明図である。
【符号の説明】
１                      カメラ本体
１ａ                    着脱口
２                      固体撮像素子
３                      フォーカルプレンシャッタ
３ａ                    開閉駆動機構部
３ｂ                    撮影光路用開口部
４                      蓋部材
４ａ                    支承部
５，６                  ガイドレール
７                      遮蔽部材
８                      薄板部材
８ａ                    被承部
８ｂ                    孔
８ｃ，８ｄ              肉厚部
９                      粘着性のある材料
【図１】
2004214848.tif 000003
【図２】
2004214848.tif 000004
【図３】
2004214848.tif 000005
【図４】
2004214848.tif 000006